(57)【要約】【課題】種々の形状を備えた積み木部材であって、個々の積み木部材の接合面同士で自由自在に嵌合することを可能とする為に、周辺に嵌合用の波型を設けた積み木玩具を提供することを課題とする。【解決手段】種々の形状を備えた積み木部材であって、個々の積み木部材の相互の接合面が水平でなくても積み重ねられることを可能とする為に、周辺に嵌合用の凹凸波型を設けている。また、車軸と車輪を備えて平面を走行可能な積み木部材も提供する。【選択図】図１３
2005323852.tif 000002
【特許請求の範囲】
【請求項１】
各種多角形又は円柱形状の積み木部材の外周面の少なくとも一面が波型であり、該波型は凹部凸部が交互に一定間隔に整列してなる形状であり、前記波型を嵌合することにより複数個の積み木部材を積み上げられることを特徴とする積み木玩具。
【請求項２】
前記積み木部材が三角柱、円柱、半円柱、四角柱であり、前記波型が各柱状体の外周側面に形成されていることを特徴とする請求項１記載の積み木玩具
【請求項３】
前記積み木部材のうちの少なくとも1個は四角柱であり、該四角柱の側面に車軸を通し、該車軸に車輪を挿設して平面を走行可能にしたことを特徴とする請求項１又は２のうちいずれか一項に記載の積み木玩具。
【請求項４】
前記積み木の材質が木材であることを特徴とする請求項１乃至３のうちいずれか一項に記載の積み木玩具。
【請求項５】
積み木の収納箱の底面に前記積み木のそれぞれの形状を描き、該描かれた形状の位置に前記積み木が整然と収納されることを特徴とする請求項１乃至４いずれか一項に記載の積み木玩具。
【発明の詳細な説明】
【技術分野】
【０００１】
本発明は、種々の形状を備える積み木の側面に、嵌合用の波型の凹凸部を設けることで、前記積み木同士を自在に固定できる積み木玩具に関する。
【背景技術】
【０００２】
従来の積み木玩具としては、木材やプラスチック製で種々の形状を備える積み木を崩れないように積み重ねていくものがある。
【０００３】
また、積み木の接合面に嵌合用の凹凸部を設けて嵌合により接着、あるいはマジックテープ（登録商標）や接着剤等で接着して崩れないように固定するものが開示されている。（例えば、特許文献１参照。）。
【特許文献１】特開２００２−５２２６５号公報
【発明の開示】
【発明が解決しようとする課題】
【０００４】
上記のような積み木では特定の面同士でしか接着できないこと、また嵌合部や接着面の美観を損なうという問題があった。
【０００５】
そこで本発明では、従来技術の問題点に鑑みなされたもので、種々の形状を備えた積み木部材であって、個々の積み木部材の相互の接合面が水平でなくても積み重ねられることを可能とする為に、周辺に嵌合用の波型を設けた積み木玩具を提供することを課題とする。
【課題を解決するための手段】
【０００６】
請求項１記載の発明は、様々な多角形又は円柱形状の積み木部材の外周面に波型を設け、該波型は凹部凸部が交互に一定間隔に整列してなる形状であり、前記波型を嵌合することにより複数個の積み木を積み上げられることを特徴とする積み木玩具である。
【０００７】
本発明によれば、波型の凹凸部で積み木部材同士がしっかりと嵌合するので、傾斜をつけたりしても少々のことでは崩れたりせず、また自由自在に積み木部材を積み重ねていくことが出来る。
【０００８】
請求項２記載の発明は、前記積み木部材は三角柱、円柱、半円柱、四角柱とされ、前記波型が各柱状形状の外周側面に形成されていることを特徴とする請求項１記載の積み木玩具である。
【０００９】
本発明によれば、側面に嵌合用の波型を設けた積み木部材で、三角柱、四角柱、円柱、半円柱を提供することで、動物や人等の形象体を簡単に作ることが出来る。
【００１０】
請求項３記載の発明は、前記積み木部材のうち少なくとも1個が四角柱であり、該四角柱の側面に車軸を通し、該車軸に車輪を挿設して平面を走行可能にしたことを特徴とする請求項１又は２のうちいずれか一項に記載の積み木玩具である。
【００１１】
本発明によれば、平面を走行できる積み木部材を提供することで、該積み木部材の上に様々形状の積み木部材を積み上げることにより、色々な乗物を表す形象体を作ることができる。
【００１２】
請求項４記載の発明は、前記積み木部材の材質が木材であることを特徴とする請求項１乃至３のうちいずれか一項に記載の積み木玩具である。
【００１３】
本発明によれば、見た目にもよくまた環境にも配慮した木材製の積み木部材を提供することが可能である。
【００１４】
請求項５記載の発明は、積み木部材の収納箱の底面に前記積み木部材のそれぞれの形状を描き、該描かれた形状の位置に前記積み木部材が整然と収納されることを特徴とする請求項１乃至４いずれか一項に記載の積み木玩具である。
【００１５】
本発明によれば、小さな子供でも、収納箱の底に描かれた絵を見ながら適切な位置に積み木部材を収納し簡単に整理整頓を行うことができる。
【発明の効果】
【００１６】
本発明は以上説明したような形態で実施され、次のような効果を有する。
【００１７】
本発明によれば、積み木部材の側面部に設けられた凹凸の波型形状により、積み木部材同士を崩れることなく積み重ねていくことが出来る。また、積み木部材同士の嵌合位置は自在であるため、所望の形状に自由に積み重ねることが可能である。
【発明を実施するための最良の形態】
【００１８】
本発明の積み木玩具は複数の積み木部材で構成され、各積み木部材は種々の形状を備えた積み木部材であって、個々の積み木部材同士を自由自在に嵌合することを可能とする為に、周辺に嵌合用の凹凸波型を設けている。また、車軸と車輪を備えて平面を走行可能な積み木部材も提供する。
【００１９】
以下、図面に基づいて本発明の実施例を詳細に説明する。
図１は本積み木玩具のうち第１積み木部材を示す図である。第１積み木部材はほぼ正四角柱形状をしている。そして、その外周側面の全てには縦方向に凹部と凸部が交互に整列してなる波型形状を設けている。凹部の幅及び深さは共に約３ミリメートルである。凸部の山同士の間隔は約６ミリメートルである。また、この正方形の一辺の長さを便宜上Ｌとする。本実施例ではＬは約４５ミリメートルである。
【００２０】
図２は本積み木玩具のうち第２積み木部材を示している。第２積み木部材は四角柱でその上面及び下面は長方形をしている。同様に、４つの側面部全てに前記波型形状が施されている。前記長方形の長辺の長さはＬ、短辺の長さは１／２Ｌである。
【００２１】
図３は本積み木玩具のうち第３積み木部材を示している。第３積み木部材は四角柱でその上面及び下面は長方形をしている。同様に、４つの側面部全てに前記波型形状が施されている。前記長方形の長辺の長さは２Ｌ、短辺の長さは１／２Ｌである。
【００２２】
図４は本積み木玩具のうち第４積み木部材を示している。第４積み木部材は四角柱でその上面及び下面は長方形をしている。同様に、４つの側面部全てに前記波型形状が施されている。前記長方形の長辺の長さは２Ｌ、短辺の長さはＬである。
【００２３】
図５は本積み木玩具のうち第５積み木部材を示している。第５積み木部材は三角柱であり、上面及び下面の三角形は直角二等辺三角形である。同様に、側面部に前記波型形状が施されている。前記直角二等辺三角形の二等辺の長さはＬである。
【００２４】
図６は本積み木玩具のうち第６積み木部材を示している。三角柱であり、上面及び下面の三角形は直角二等辺三角形である。同様に、側面部に前記波型形状が施されている。前記直角二等辺三角形の二等辺の長さは２Ｌである。
【００２５】
図７は本積み木玩具のうち第７積み木部材を示している。第７積み木部材は正三角柱であり、上面及び下面の三角形は正三角形である。同様に、側面部に前記波型形状が施されている。前記正三角形の一辺の長さは約１．４Ｌである。
【００２６】
図８は本積み木玩具のうち第８積み木部材を示している。第８積み木部材は三角柱であり、上面及び下面の三角形は直角三角形である。同様に、側面部に前記波型形状が施されている。前記直角三角形の直角を成す二辺のうち、短辺の長さはＬ、長辺の長さは２Ｌである。
【００２７】
図９は本積み木玩具のうち第９積み木部材を示している。第９積み木部材は円柱であり、上面及び下面の円は真円である。同様に、円の外周面には前記波型形状が施されている。前記円の直径の長さはＬである。
【００２８】
図１０は本積み木玩具のうち第１０積み木部材を示している。第１０積み木部材は半円柱であり、上面及び下面の円はほぼ半円である。同様に、円の外周面には前記波型形状が施されている。前記円の直径の長さはＬである。
【００２９】
図１１は本積み木玩具のうち第１１積み木部材を示している。第１１積み木部材は長さ３Ｌ以上の四角柱１１ａの上面に前記波型形状が施されている。更に、底面から高さ方向に対して同じ高さの位置に２個所貫通穴が設けられ、該貫通穴に車軸１１ｂを挿通した後、車軸の両端に円形の車輪１１ｃが嵌合されている。従って、第１１積み木部材は平面上を自在に走行可能である。
【００３０】
図１２は本発明の積み木玩具の収納時の外観を示したものである。厚紙製の収納箱１２の底には、前記１１個の積み木部材をどこに収納すればよいかを示す絵が描かれている。即ち、箱の底面には前記第１積み木部材から第１１積み木部材までのそれぞれの形状が描かれている。従って幼児でも効率よく積み木部材を収納箱に収納し片付けることができる。そして、前述のように各辺の長さ又は円の直径をＬを単位とした比率としている、第１積み木部材を２個、第２積み木部材を４個、第３積み木部材を４個、第４積み木部材を２個、第５積み木部材を４個、第６から第１１積み木部材をそれぞれ２個とすることにより、図１２に示したように多数の積み木部材を長方形の収納箱１２に効率的に収納できる。
【００３１】
図１３は本積み木玩具を用いた雛人形を模した組合せ例である。正面最左翼と最右翼にはそれぞれぼんぼりを模した組合せが配置され、該２個のぼんぼりを模した組合せの間に左に男雛を模した組合せを、右に女雛を模した組合せを配置する構成となっている。ぼんぼりを模した組合せは、平面に高さ方向に立てた第３積み木部材の上に横方向に第２積み木部材が乗せて構成される。男雛を模した組合せは、第３積み木部材の上に２個の第５積み木部材をその直角側同士を接触させて二等辺三角形を形成した後、該２個の第５積み木部材それぞれの斜辺上に第７積み木部材を乗せ、該２個の第７積み木部材の合せ部を中心とした部分の上に第９積み木部材を乗せて構成される。女雛を模した組合せは、第３積み木部材の上に２個の第５積み木部材をその直角側同士を接触させて二等辺三角形を形成した後、該それぞれの第５積み木部材の斜辺上に第１０積み木部材をその円周部を上に向けて乗せ、該２個の第１０積み木部材の合せ部を中心とした部分の上に第９積み木部材を乗せて構成される。
【００３２】
図１４は本積み木玩具を用いた組合せ例である。正面最左翼には第６積み木部材の鋭角を左に向け、直角部分を平面に接してあり、その対辺上に対辺を合せるように第５積み木部材を積み重ねている。更に該第５積み木部材の上には第８積み木部材が鋭角を左に向けた状態で乗せられている。前記第６積み木部材の右側には第９積み木部材を挟み第４積み木部材が平面上に高さ方向に置かれている。該第４積み木部材の上には第６積み木部材が対辺を下にして乗せられている。前記第４積み木部材の右辺と第６積み木部材の斜辺で第９積み木部材が固定されている。更に該第９積み木部材の下には横方向の第３積みが第４積み木部材の右辺と接しており、該第３積み木部材のもう一端には新たな第４積み木部材が高さ方向に平面上に置かれている。該第４積み木部材の上には第１０積み木部材が円周部を下にして乗せてあり、その上に第３積み木部材が横方向に、更にその上に第７積み木部材が乗せられている。本積み木玩具を用いれば、先の図１３、図１４に示したような通常の積み木では構成不可能な組合せ形状、例えば積み木部材同士の接合面が傾斜していたり、垂直である場合であっても組み上げることが可能である。
【００３３】
図１５は本積み木玩具を用いた鳥を模した組合せ例である。最初に第３積み木部材の左右に第１０積み木部材が1個ずつ置かれ足部を形成している。前記第３積み木部材の上には胴に当たる第４積み木部材が高さ方向に置かれ、その上に第８積み木部材が鋭角を嘴に見立てて乗せられている。前記第１０積み木部材の上には羽に当たる第６積み木部材が等辺を接して乗せられている。更に前記第３積み木部材の上部後方には尻尾に当たる第８積み木部材が鋭角を後方に向け乗せられている。
【００３４】
図１６は本積み木玩具を用いた猫を模した組合せ例である。先ず前足の部分として第３積み木部材を横方向に２個平面上に並べる。更にその間の床面上に第２積み木部材を横方向に配置する。該第２積み木部材は目立たないように第３積み木部材の中間部から後方に配置する。前記第３積み木部材及び第２積み木部材の上に第１積み木部材を並べて３個配置する。中央の第３積み木部材の上には首に当たる第２積み木部材を高さ方向に乗せ、その上に顔に当たる第６積み木部材をその対辺を下にして乗せる。更に該第６積み木部材の二等辺上に耳に当たる第８積み木部材をそれぞれ乗せる。前記平面上にある第２積み木部材の後方には胴に当たる第１積み木部材を横方向に２個並べて配置する。胴にあたる第１積み木部材の両側には脚部に当たる第３積み木部材を横方向に、その上に第５積み木部材と第２積み木部材を並べて乗せる。最後尾の第１積み木部材の上には第７積み木部材を、その上に尻尾に当たる第５積み木部材を乗せる。
【００３５】
図１７は、本積み木玩具を用いた機関車と貨物車を模した組合せ例である。左側に機関車を右側に貨物車をその中央には連結部を配置する。機関車としては、第１１積み木部材を車体としてその上に第１積み木部材、第２積み木部材、第４積み木部材を左から順に並べて配置する。該第１積み木部材の上には煙突部分である第２積み木部材、その上に第９積み木部材を乗せる。前記第４積み木部材は運転室であり、その上に屋根に当たる第１０積み木部材をその円周部を上側にして乗せる。次に貨物車であるが、第１１積み木部材の上に第３積み木部材を長さ方向にして乗せ、その両端上に第２積み木部材をそれぞれ高さ方向に載せる。前記２個の第２積み木部材の上には屋根に当たる第６積み木部材をその対辺を下側に向け乗せる。機関車と貨物車の連結部分はそれぞれの第１１積み木部材の間に第３積み木部材を横方向にして乗せ、その上に第１０積み木部材をその円周部を上に向けた状態で乗せる。
【００３６】
図１８は、本積み木玩具を用いたホバークラフトを模した組合せ例である。船体として、平面上に第６積み木部材を置き、その斜辺の後に第４積み木部材を２個配置する。更に前記第４積み木部材の後にはそれぞれ第１積み木部材を平面上に配置する。前記第６積み木部材には同位置上に第６積み木部材をもう１個重ねる。その後部には第３積み木部材を２個平行に並べた後、後部の該第３積み木部材の上には第１０積み木部材をその円周部を上に向けた状態で乗せる。前記２個の第１積み木部材上には橋渡しをするように第３積み木部材を２個並列に重ねる。その後部の該第３積み木部材の両端上にはそれぞれ第２積み木部材を高さ方向に重ね、該２個の第２積み木部材で第９積み木部材を挟持する形にする。
【００３７】
図１９は、本積み木玩具の人と木を模した組合せ例である。中央に切り株を現す第９積み木部材を２個重ねて配置する。その左右に、人を１体ずつ形成するように配置する。人の形成としては、先ず足として第２積み木部材を２個やや離した状態で並べる。その上に胴に当たる第１積み木部材を配置した後、その上に腕に当たる第３積み木部材を長さ方向に配置する。更にその上に顔に当たる第１０積み木部材をその円周部を下側にして乗せた後、該１０積み木部材の上に帽子と頭に当たる第７積み木部材を配置する。形成されたそれぞれ人型の積み木部材の左右には木を表す積み木部材を配置する。木の幹の部分として第４積み木部材を高さ方向に配置し、その上に第３積み木部材を高さ方向に配置する。最後に葉を表す第６積み木部材をその斜辺を下側にして乗せる。
【００３８】
図２０は、本積み木玩具の鳥の親子を模した組合せ例である。前部に親鳥を配置し、後部には子供の鳥を配置する。親鳥としては、胴に当たる第３積み木部材の両側に羽に当たる第６積み木部材をそれぞれ配置する。該第３積み木部材の前部には首に当たる第３積み木部材を高さ方向に乗せ、後部には第８積み木部材をその短辺を下側にして乗せる。首に当たる第３積み木部材の上端には第８積み木部材をその長辺側を下にして乗せ、その斜辺上には第５積み木部材をその斜辺を下に向けた状態で乗せる。続いて子供の鳥について説明する。胴に当たる第３積み木部材の両側には羽に当たる第７積み木部材をそれぞれ配置する。該第３積み木部材の前部上には首に当たる第２積み木部材を高さ方向に配置する。一方後部上には尻尾に当たる第５積み木部材を配置する。首に当たる第２積み木部材の上端には頭部に当たる第５積み木部材を配置する。
【００３９】
図２１は、本積み木玩具を用いた組合せ例である。正面左には車体として第１１積み木部材を配置する。その上には第６積み木部材をその斜辺を下にして乗せる。該第６積み木部材の右側の等辺上には第３積み木部材をやや上にずらす形で平行に並べ、その上に第７積み木部材をその底辺を上に向ける形でやや上側にずらした状態で乗せる。一方正面右には車体として、第１１積み木部材を配置する。その上には第６積み木部材をその斜辺を下にして乗せる。該第６積み木部材の左側の等辺上には第３積み木部材をやや上にずらす形で平行に並べ、その右端上に第１０積み木部材をその円周部を上に向ける状態で乗せる。最後に左右のそれぞれ第１０積み木部材の中間に第３積み木部材を橋渡しする状態で乗せる。該第３積み木部材の両端上には第８積み木部材をそれぞれその直角を内側に向ける形で配置し、該２個の第２積み木部材の上部で第１積み木部材を挟持する。該第１積み木部材の上端には第９積み木部材を乗せる。
【００４０】
図２２は、本積み木玩具を用いたカニを模した組合せ例である。カニの胴体として第４積み木部材を２個重ねる。続いて足を形成する。前記第４積み木部材の両側にそれぞれ、第８積み木部材をその斜辺を下にして配置し、その上の直角上に第５積み木部材をその斜辺を下にして乗せ、更にその上にもう１個第５積み木部材をやはり斜辺を下にして重ねる。なお、前記第８積み木部材と第５積み木部材の第４積み木部材側に当たる頂点は、それぞれ第４積み木部材の側面に接している。上部の第４積み木部材の上には第２積みをやや離した状態で高さ方向に２個並べる。それぞれの第２積み木部材の上端上には目に当たる第９積み木部材をそれぞれ配置する。
【００４１】
図２３は、本積み木玩具を用いたロボットを模した組合せ例である。足部として、左右に第１０積み木部材をその円周部を前に向け平面上に並べる。その後部に第２積み木部材をそれぞれ配置する。左右の該第１０積み木部材と第２積み木部材の接する部分の辺りに第３積み木部材をそれぞれ高さ方向に乗せる。該２個の第３積み木部材の上端に橋渡しする状態で第４積み木部材を重ねる。該第４積み木部材の両端にはそれぞれ第２積み木部材を高さ方向に配置する。該２個の第２積み木部材で第９積み木部材を挟持する。前記第２積み木部材の上端にはそれぞれ第３積み木部材を長さ方向に、左右に張り出す形で配置する。最後に該２個の第３積み木部材同士の中間部に第１積み木部材を乗せる。
【００４２】
図２４は、本積み木玩具を用いた貨物自動車を模した組合せ例である。車体として第１１積み木部材を平面上に配置する。その上には前部に第２積み木部材を乗せ更にその上に第５積み木部材をその直角を後部に向ける形で乗せて運転席を構成する。前記第１１積み木部材の中間から後部にかけて第４積み木部材を長さ方向に乗せる。その上には第３積み木部材を長さ方向に長さを揃えて乗せる。
【００４３】
本発明の積み木玩具は、美観の問題や肌触り等から木材製のものが好ましいが、合成樹脂等を成形加工したものであってもよい。更に、積み木部材の表面に様々な絵柄を設け、或いは表面を着色することも可能である。また、積み木部材の寸法や形状は本実施例に限定されず、自由に変更できるものである。
【産業上の利用可能性】
【００４４】
本発明の積み木玩具は、様々な形状の積み木部材の側面に嵌合用の波型を施してあるので、積み上げが容易でかつ崩れにくいため、幼児が自由な発想で積み木部材を積み上げて思い描いた事物を作りあげることができる。また、接着剤や複雑な嵌合構造を備えていないので幼児向けの知育玩具としても最適である。
【図面の簡単な説明】
【００４５】
【図１】本発明の積み木玩具の第１積み木部材の斜視図を示す。
【図２】本発明の積み木玩具の第２積み木部材の斜視図を示す。
【図３】本発明の積み木玩具の第３積み木部材の斜視図を示す。
【図４】本発明の積み木玩具の第４積み木部材の斜視図を示す。
【図５】本発明の積み木玩具の第５積み木部材の斜視図を示す。
【図６】本発明の積み木玩具の第６積み木部材の斜視図を示す。
【図７】本発明の積み木玩具の第７積み木の斜視図を示す。
【図８】本発明の積み木玩具の第８積み木部材の斜視図を示す。
【図９】本発明の積み木玩具の第９積み木部材の斜視図を示す。
【図１０】本発明の積み木玩具の第１０積み木部材の斜視図を示す。
【図１１】本発明の積み木玩具の第１１積み木部材の斜視図を示す。
【図１２】本発明の積み木玩具を収納箱に収納した状態を示す。
【図１３】本発明の積み木玩具を用いた積み木部材の組合せの一例である。
【図１４】本発明の積み木玩具を用いた積み木部材の組合せの一例である。
【図１５】本発明の積み木玩具を用いた積み木部材の組合せの一例である。
【図１６】本発明の積み木玩具を用いた積み木部材の組合せの一例である。
【図１７】本発明の積み木玩具を用いた積み木部材の組合せの一例である。
【図１８】本発明の積み木玩具を用いた積み木部材の組合せの一例である。
【図１９】本発明の積み木玩具を用いた積み木部材の組合せの一例である。
【図２０】本発明の積み木玩具を用いた積み木部材の組合せの一例である。
【図２１】本発明の積み木玩具を用いた積み木部材の組合せの一例である。
【図２２】本発明の積み木玩具を用いた積み木部材の組合せの一例である。
【図２３】本発明の積み木玩具を用いた積み木部材の組合せの一例である。
【図２４】本発明の積み木玩具を用いた積み木部材の組合せの一例である。
【符号の説明】
【００４６】
１ 第１積み木部材
２ 第２積み木部材
３ 第３積み木部材
４ 第４積み木部材
５ 第５積み木部材
６ 第６積み木部材
７ 第７積み木部材
８ 第８積み木部材
９ 第９積み木部材
１０ 第１０積み木部材
１１ 第１１積み木部材
１１ａ 四角柱
１１ｂ 車軸
１１ｃ 車輪
１２ 収納箱
【図１】
2005323852.tif 000003
【図２】
2005323852.tif 000004
【図３】
2005323852.tif 000005
【図４】
2005323852.tif 000006
【図５】
2005323852.tif 000007
【図６】
2005323852.tif 000008
【図７】
2005323852.tif 000009
【図８】
2005323852.tif 000010
【図９】
2005323852.tif 000011
【図１０】
2005323852.tif 000012
【図１１】
2005323852.tif 000013
【図１２】
2005323852.tif 000014
【図１３】
2005323852.tif 000015
【図１４】
2005323852.tif 000016
【図１５】
2005323852.tif 000017
【図１６】
2005323852.tif 000018
【図１７】
2005323852.tif 000019
【図１８】
2005323852.tif 000020
【図１９】
2005323852.tif 000021
【図２０】
2005323852.tif 000022
【図２１】
2005323852.tif 000023
【図２２】
2005323852.tif 000024
【図２３】
2005323852.tif 000025
【図２４】
2005323852.tif 000026